(57)【要約】  オンデマンドシステム情報をユーザ機器に送信するためのモバイル通信システム方法は、特定の無線リソース制御接続状態に基づいて、システム情報を要求することと、システム情報要求に基づいて、システム情報をユーザ機器に送信することとを含む。【選択図】図１
2019528588.tif 000002
【特許請求の範囲】
【請求項１】
ユーザ機器にオンデマンドシステム情報を送信するためのモバイル通信システム方法であって、
特定の無線リソース制御接続状態に基づいて、システム情報を要求することと、
前記システム情報要求に基づいて、システム情報を前記ユーザ機器に送信することと
を含むモバイル通信システム方法。
【請求項２】
前記システム情報が、前記特定の無線リソース制御接続状態に基づいて送信される、請求項１に記載のモバイル通信システム方法。
【請求項３】
予約されたアップリンク許可およびアップリンク許可リソースプールのうちの少なくとも１つを含む必須のシステム情報をブロードキャストすることをさらに含む請求項１に記載のモバイル通信システム方法。
【請求項４】
前記特定の無線リソース制御接続状態がアイドル状態である、請求項１に記載のモバイル通信システム方法。
【請求項５】
前記システム情報が、無線リソース確立手順内で要求される、請求項４に記載のモバイル通信システム方法。
【請求項６】
要求された前記システム情報が、無線リソース制御接続要求メッセージに含まれる、請求項５に記載のモバイル通信システム方法。
【請求項７】
前記要求されたシステム情報が、無線リソース確立手順内で送信される、請求項４に記載のモバイル通信システム方法。
【請求項８】
前記要求されたシステム情報が、無線リソース制御接続セットアップメッセージに含めて送信される、請求項７に記載のモバイル通信システム方法。
【請求項９】
前記特定の無線リソース制御接続状態が、非アクティブ状態、接続状態、およびアイドル状態のうちの少なくとも１つである、請求項１に記載のモバイル通信システム方法。
【請求項１０】
アップリンクリソースまたはアップリンクリソースプールが前記ユーザ機器に事前に割り振られる、請求項９に記載のモバイル通信システム方法。
【請求項１１】
前記システム情報の要求が、前記事前に割り振られたリソースに基づいて実行される、請求項１０に記載のモバイル通信システム方法。
【請求項１２】
前記システム情報要求が、システム情報が要求された旨の指示、システム情報ブロックの指示、サービス関連情報、および位置関連情報のうちの少なくとも１つを含む、請求項９に記載のモバイル通信システム方法。
【請求項１３】
前記システム情報要求が、前記システム情報を要求する前記ユーザ機器を識別するための識別情報を含む、請求項９に記載のモバイル通信システム方法。
【請求項１４】
前記ユーザ機器に送信される前記要求されたシステム情報が、受信された識別情報に基づいて、前記ユーザ機器にアドレス指定される、請求項１３に記載のモバイル通信システム方法。
【請求項１５】
所定の時間期間の後に肯定応答が受信されない場合、システム情報の要求が繰り返される、請求項１１に記載のモバイル通信システム方法。
【請求項１６】
複数のシステム情報要求が受信された場合、前記要求されたシステム情報がブロードキャストまたはグループキャストされる、請求項９に記載のモバイル通信システム方法。
【請求項１７】
前記事前に割り振られたリソース上で受信されたノイズに応答して、必須ではないシステム情報がブロードキャストされる、請求項１０に記載のモバイル通信システム方法。
【請求項１８】
前記必須ではないシステム情報が、セル再選択システム情報を含む、請求項１７に記載のモバイル通信システム方法。
【請求項１９】
必須のシステム情報をブロードキャストすることをさらに含み、前記必須ではないシステム情報をブロードキャストするためのスケジューリング情報が、前記必須のシステム情報に含まれる、請求項１７に記載のモバイル通信システム方法。
【請求項２０】
前記特定の無線リソース制御接続状態が接続状態である、請求項１に記載のモバイル通信システム方法。
【請求項２１】
システム情報の要求が、新しいサービス要求、モビリティ、および新しい物理レイヤ変更のうちの少なくとも１つの検出時に実行される、請求項２０に記載のモバイル通信システム方法。
【請求項２２】
前記システム情報要求が、無線リソース制御シグナリング内で送信される、請求項２０に記載のモバイル通信システム方法。
【請求項２３】
前記システム情報要求が、スケジューリング要求内で送信される、請求項２０に記載のモバイル通信システム方法。
【請求項２４】
前記スケジューリング要求に加えて、ゼロバッファサイズ指示が前記スケジューリング要求に続くバッファステータス報告に含まれる、請求項２３に記載のモバイル通信システム方法。
【請求項２５】
前記スケジューリング要求が、システム情報要求が送信される旨の指示を含む、請求項２３に記載のモバイル通信システム方法。
【請求項２６】
前記スケジューリング要求が、前記要求されたシステム情報に関する情報を含む、請求項２３に記載のモバイル通信システム方法。
【請求項２７】
前記システム情報要求がハンドオーバ内で送信される、請求項２０に記載のモバイル通信システム方法。
【請求項２８】
前記要求されたシステム情報が、ハンドオーバコマンドに含まれて送信される、請求項２７に記載のモバイル通信システム方法。
【請求項２９】
モバイル通信システムのためのユーザ機器であって、
特定の無線リソース制御接続状態に基づいて、システム情報を要求する
ように構成された回路を備えるユーザ機器。
【請求項３０】
前記特定の無線リソース制御接続状態がアイドル状態である、請求項２９に記載のユーザ機器。
【請求項３１】
前記システム情報が、無線リソース確立手順内で要求される、請求項３０に記載のユーザ機器。
【請求項３２】
要求された前記システム情報が、無線リソース制御接続要求メッセージに含まれる、請求項３１に記載のユーザ機器。
【請求項３３】
前記特定の無線リソース制御接続状態が、非アクティブ状態、接続状態、およびアイドル状態のうちの少なくとも１つである、請求項２９に記載のユーザ機器。
【請求項３４】
前記システム情報が、事前に割り振られたリソース上で要求される、請求項３３に記載のユーザ機器。
【請求項３５】
前記システム情報要求が、システム情報が要求された旨の指示、システム情報ブロックの指示、サービス関連情報、および位置関連情報のうちの少なくとも１つを含む、請求項３３に記載のユーザ機器。
【請求項３６】
前記システム情報要求が、前記システム情報を要求する前記ユーザ機器を識別するための識別情報を含む、請求項３３に記載のユーザ機器。
【請求項３７】
所定の時間期間の後に肯定応答が受信されない場合、システム情報の前記要求が繰り返される、請求項３３に記載のユーザ機器。
【請求項３８】
前記特定の無線リソース制御接続状態が接続状態である、請求項２９に記載のユーザ機器。
【請求項３９】
システム情報の要求が、新しいサービス要求、モビリティ、および新しい物理レイヤ変更のうちの少なくとも１つの検出時に実行される、請求項３８に記載のユーザ機器。
【請求項４０】
前記システム情報要求が、無線リソース制御シグナリング内で送信される、請求項３８に記載のユーザ機器。
【請求項４１】
前記システム情報要求が、スケジューリング要求内で送信される、請求項３８に記載のユーザ機器。
【請求項４２】
前記スケジューリング要求に加えて、ゼロバッファサイズ指示が前記スケジューリング要求に続くバッファステータス報告に含まれる、請求項４１に記載のユーザ機器。
【請求項４３】
前記スケジューリング要求が、システム情報要求が送信される旨の指示を含む、請求項４１に記載のユーザ機器。
【請求項４４】
前記スケジューリング要求が、前記要求されたシステム情報に関する情報を含む、請求項４１に記載のユーザ機器。
【請求項４５】
前記システム情報要求がハンドオーバ内で送信される、請求項３８に記載のユーザ機器。
【請求項４６】
モバイル通信システムのための基地局であって、
ユーザ機器の無線リソース制御接続状態を決定し、
前記システム情報要求に基づいて、システム情報を前記ユーザ機器に送信する
ように構成された回路を備える基地局。
【請求項４７】
前記システム情報が、前記決定された無線リソース制御接続状態に基づいて送信される、請求項４６に記載の基地局。
【請求項４８】
前記回路が、予約されたアップリンク許可およびアップリンク許可リソースプールのうちの少なくとも１つを含む必須のシステム情報をブロードキャストするようにさらに構成される、請求項４６に記載の基地局。
【請求項４９】
前記決定された無線リソース制御接続状態がアイドル状態である、請求項４６に記載の基地局。
【請求項５０】
前記要求されたシステム情報が、無線リソース確立手順内で送信される、請求項４９に記載の基地局。
【請求項５１】
前記要求されたシステム情報が、無線リソース制御接続セットアップメッセージに含まれて送信される、請求項５０に記載の基地局。
【請求項５２】
前記決定された無線リソース制御接続状態が、非アクティブ状態、接続状態、およびアイドル状態のうちの少なくとも１つである、請求項４６に記載の基地局。
【請求項５３】
アップリンクリソースがユーザ機器に事前に割り振られる、請求項５２に記載の基地局。
【請求項５４】
前記システム情報の要求が、前記事前に割り振られたリソースに基づいて実行される、請求項５３に記載の基地局。
【請求項５５】
前記ユーザ機器に送信される前記要求されたシステム情報が、受信された識別情報に基づいて、前記ユーザ機器にアドレス指定される、請求項５２に記載の基地局。
【請求項５６】
複数のシステム情報要求が受信された場合、前記要求されたシステム情報がブロードキャストまたはグループキャストされる、請求項５２に記載の基地局。
【請求項５７】
前記事前に割り振られたリソース上で受信されたノイズに応答して、必須ではないシステム情報がブロードキャストされる、請求項５３に記載の基地局。
【請求項５８】
前記必須ではないシステム情報が、セル再選択システム情報を含む、請求項５７に記載の基地局。
【請求項５９】
前記回路が、必須のシステム情報をブロードキャストするようにさらに構成され、前記必須ではないシステム情報をブロードキャストするためのスケジューリング情報が、前記必須のシステム情報に含まれる、請求項５７に記載の基地局。
【請求項６０】
前記決定された無線リソース制御接続状態が接続状態である、請求項４６に記載の基地局。
【請求項６１】
前記要求されたシステム情報が、ハンドオーバコマンドに含まれて送信される、請求項６０に記載の基地局。
【発明の詳細な説明】
【技術分野】
【０００１】
本開示は、概して、モバイル通信システム方法、ユーザ機器、および基地局に関する。
【背景技術】
【０００２】
例えば、ΜΤ−２０００（International  Mobile  Telecommunications-2000）仕様に基づく第３世代（「３Ｇ」）、ＩΜΤ−Ａｄｖａｎｃｅｄ  Ｓｔａｎｄａｒｄ（International  Mobile  Telecommunications-Advanced  Standard）で定義される能力を提供する第４世代（「４Ｇ」）、および開発中であり、２０２０年に実施される可能性がある現行の第５世代（「５Ｇ」）など、いくつかの世代のモバイル通信システムが知られている。
【０００３】
５Ｇの要件を提供する候補は、いわゆるＬＴＥ（Long  Term  Evolution）であり、これは、携帯電話およびデータ端末のための高速データ通信を可能にするワイヤレス通信技術であり、４Ｇモバイル通信システムには既に使用されている。
【０００４】
ＬＴＥは、第２世代（「２Ｇ」）のＧＳＭ／ＥＤＧＥ（「Global  System  for  Mobile  Communications」／「ＥＧＰＲＳ」とも呼ばれる「Enhanced  Data  rates  for  GSM  Evolution」）、および第３世代（「３Ｇ」）ネットワーク技術のＵＭＴＳ／ＨＳＰＡ（「Universal  Mobile  Telecommunications  System」／「High  Speed  Packet  Access」）に基づく。
【０００５】
ＬＴＥは、３ＧＰＰ（「第３世代パートナーシッププロジェクト」）の制御下で標準化され、基本のＬＴＥよりも高いデータレートを可能にし、同じく３ＧＰＰの制御下で標準化される後継ＬＴＥ−Ａ（LTE  Advanced）が存在する。
【０００６】
将来的には、３ＧＰＰが５Ｇの技術的要件を満たすことができるように、ＬＴＥ−Ａをさらに開発する計画である。
【０００７】
５Ｇシステムは、それぞれＬＴＥまたはＬＴＥ−Ａに基づくので、５Ｇ技術の特定の要件は基本的に、ＬＴＥおよびＬＴＥ−Ａ標準文書で既に定義されている特徴および方法によって扱われることが想定される。
【０００８】
５Ｇ技術は、いわゆる「仮想セル」または「ローカルセル」などの概念を可能にする。この概念では、セルは、ユーザ機器（「ＵＥ」）、例えば、モバイル通信インターフェースを含む携帯電話、コンピュータ、タブレット、タブレットパーソナルコンピュータなど、またはモバイル通信インターフェースを有するホットスポットデバイスなど、例えば、ＬＴＥ（−Ａ）を介してモバイル通信を実行することができる任意の他のデバイスによってサービス提供される。手短に言えば、ＵＥは、仮想セルまたはローカルセルの近傍の他のＵＥとネットワークとの間の間接的なネットワーク接続を確立するための中間ノードとして、および／またはＵＥ間の中間ノードとして動的に動作する。ＵＥ上の中間ノードの機能は、「仮想化」によって実行することもできる。仮想セルまたはローカルセルは無認可、共有認可、または認可の帯域でＵＥと通信することができ、それは、好ましくは認可帯域でネットワークにバックホールする。
【０００９】
ＬＴＥでのＩＰマルチメディアシステム（ＩＭＳ）の導入に従って、制御プレーンとユーザプレーンとの間の論理的分離が導入され、制御プレーンとユーザプレーンとの間の物理的分離が、５Ｇのための可能なソリューションとして提案されている。サービス継続性を維持するために、制御プレーンに対する要件は、基本的に堅牢性および広いカバレージであるべきであるので、マクロまたはアンカー基地局は、制御プレーンへのリンクを提供するものとする。一方、ユーザプレーンの主要な働きは、セル容量を改善するための効率的なスペクトル使用である。しかしながら、ユーザプレーンの要件は、特定のユースケースまたはＵＥ能力／カテゴリに大きく依存するので、「ネットワークスライス」など、５Ｇの概念を考慮して、それぞれのユースケースまたはＵＥ能力／カテゴリに応じて、様々なタイプの受信／送信またはルーティング方法が考えられる。
【００１０】
５Ｇ技術の場合、仮想セルとしての機能のＵＥは、例えば、基地局、またはＬＴＥで呼ばれるｅＮｏｄｅＢ（発展型ノードＢ）（ｅＮｏｄｅＢはＬＴＥの発展型ＵＴＲＡにおける要素であり、ＵＴＲＡはＵＭＴＳ地上波無線アクセスである）で通常実行される責任を引き継ぐことができると考えられる。仮想セルとしてのＵＥにおいて実行されることが考えられるそのような責任は、例えば、無線リソース管理、無線リソース制御（「ＲＲＣ」）、接続制御などである。したがって、データを中継し、ローカルネットワークを編成するために、ｅＮｏｄｅＢまたはスモールセルにのみ依存するのではなく、そのような機能は、仮想セルとしてのＵＥ機能にシフトされる。ネットワークにおける仮想セルのそのような中間ノードの存在は、ｅＮｏｄｅＢからのシグナリングオーバーヘッドをオフロードする、無線リソースを効率的に割り振ることなどが期待される。
【発明の概要】
【発明が解決しようとする課題】
【００１１】
将来の５Ｇ技術のためのシグナリング技術は存在するが、一般に、シグナリングを改善することが望ましい。
【課題を解決するための手段】
【００１２】
第１の態様によれば、本開示は、特定の無線リソース制御接続状態に基づいて、システム情報を要求することと、システム情報要求に基づいて、システム情報をユーザ機器に送信することとを含む、オンデマンドシステム情報をユーザ機器に送信するためのモバイル通信システム方法を提供する。
【００１３】
第２の態様によれば、本開示は、特定の無線リソース制御接続状態に基づいて、システム情報を要求するように構成された回路を備える、モバイル通信システムのためのユーザ機器を提供する。
【００１４】
第３の態様によれば、本開示は、ユーザ機器の無線リソース制御接続状態を決定し、システム情報要求に基づいて、システム情報をユーザ機器に送信するように構成された回路を備える、モバイル通信システムのための基地局を提供する。
【００１５】
さらなる態様は、従属クレーム、以下の説明、および図面に記載される。
【図面の簡単な説明】
【００１６】
実施形態は、添付の図面に関して例として説明される。
【００１７】
【図１】モバイル通信システムを概略的に示す図である。
【図２ａ】オンデマンドシステム情報のためのアプローチを概略的に示す図である。
【図２ｂ】オンデマンドシステム情報のためのアプローチを概略的に示す図である。
【図２ｃ】オンデマンドシステム情報のためのアプローチを概略的に示す図である。
【図２ｄ】オンデマンドシステム情報のためのアプローチを概略的に示す図である。
【図２ｅ】オンデマンドシステム情報のためのアプローチを概略的に示す図である。
【図３】実施形態の無線リソース制御接続状態を概略的に示す図である。
【図４】ＲＲＣアイドル状態にあるユーザ機器のオンデマンド要求システム情報のためのモバイル通信システム方法のフロー図である。
【図５】ＲＲＣ非アクティブ状態にあるユーザ機器のオンデマンド要求システム情報のためのモバイル通信システム方法のフロー図である。
【図６】ＲＲＣ接続状態にあるユーザ機器のオンデマンド要求システム情報のためのモバイル通信システム方法のフロー図である。
【図７】本明細書で説明する新しい無線基地局またはユーザ機器を実装するために使用され得るコンピュータを概略的に示す図である。
【発明を実施するための形態】
【００１８】
図４を参照して実施形態の詳細な説明を行う前に、一般的な説明を行う。
【００１９】
冒頭で述べたように、例えば、ΜΤ−２０００（International  Mobile  Telecommunications-2000）仕様に基づく第３世代（「３Ｇ」）、ＩΜΤ−Ａｄｖａｎｃｅｄ  Ｓｔａｎｄａｒｄ（International  Mobile  Telecommunications-Advanced  Standard）で定義される能力を提供する第４世代（「４Ｇ」）、および開発中であり、２０２０年に実施される可能性がある現行の第５世代（「５Ｇ」）など、いくつかの世代のモバイル通信システムが知られている。
【００２０】
５Ｇの要件を提供する候補は、いわゆるＬＴＥ（Long  Term  Evolution）であり、これは、携帯電話およびデータ端末のための高速データ通信を可能にするワイヤレス通信技術であり、４Ｇモバイル通信システムには既に使用されている。
【００２１】
ＬＴＥは、第２世代（「２Ｇ」）のＧＳＭ／ＥＤＧＥ（「Global  System  for  Mobile  Communications」／「ＥＧＰＲＳ」とも呼ばれる「Enhanced  Data  rates  for  GSM  Evolution」）、および第３世代（「３Ｇ」）ネットワーク技術のＵＭＴＳ／ＨＳＰＡ（「Universal  Mobile  Telecommunications  System」／「High  Speed  Packet  Access」）に基づく。
【００２２】
ＬＴＥは、３ＧＰＰ（「第３世代パートナーシッププロジェクト」）の制御下で標準化され、基本のＬＴＥよりも高いデータレートを可能にし、同じく３ＧＰＰの制御下で標準化される後継ＬＴＥ−Ａ（LTE  Advanced）が存在する。
【００２３】
将来的には、３ＧＰＰが５Ｇの技術的要件を満たすことができるように、ＬＴＥ−Ａをさらに開発する計画である。
【００２４】
５Ｇシステムは、それぞれＬＴＥまたはＬＴＥ−Ａに基づくので、５Ｇ技術の特定の要件は基本的に、ＬＴＥおよびＬＴＥ−Ａ標準文書で既に定義されている特徴および方法を扱うことが想定される。
【００２５】
５Ｇ技術は、いわゆる「仮想セル」または「ローカルセル」、「分散ユニット」などの概念を可能にする。この概念では、セルは、ユーザ機器（「ＵＥ」）、例えば、モバイル通信インターフェースを含む携帯電話、コンピュータ、タブレット、タブレットパーソナルコンピュータなど、またはモバイル通信インターフェースを有するホットスポットデバイスなど、例えば、ＬＴＥ（−Ａ）を介してモバイル通信を実行することができる任意の他のデバイスによってサービス提供される。手短に言えば、ＵＥは、仮想セルまたはローカルセルの近傍の他のＵＥとネットワークとの間の間接的なネットワーク接続を確立するための中間ノードとして、および／またはＵＥ間の中間ノードとして動的に動作する。ＵＥ上の中間ノードの機能は、「仮想化」によって実行することもできる。仮想セルまたはローカルセルは無認可、共有認可、または認可の帯域でＵＥと通信することができ、それは、好ましくは認可帯域でネットワークにバックホールする。
【００２６】
ＬＴＥでのＩＰマルチメディアシステム（ＩＭＳ）の導入に従って、制御プレーンとユーザプレーンとの間の論理的分離が行われ、制御プレーンとユーザプレーンとの間の物理的分離が、５Ｇのための可能なソリューションとして提案されている。サービス継続性を維持するために、制御プレーンに対する要件は、基本的に堅牢性および広いカバレージであるべきであるので、中央ユニットなどとすることもできるマクロまたはアンカー基地局は、制御プレーンへのリンクを提供するものとする。一方、ユーザプレーンの主要な働きは、セル容量を改善するための効率的なスペクトル使用である。しかしながら、ユーザプレーンの要件は、特定のユースケースまたはＵＥ能力／カテゴリに大きく依存しているので、「ネットワークスライス」など、５Ｇの概念を考慮して、それぞれのユースケースまたはＵＥ能力／カテゴリに応じて、様々なタイプの受信／送信またはルーティング方法が考えられる。
【００２７】
５Ｇ技術の場合、分散ユニット、仮想セル、ローカルセルとしての機能のＵＥは、例えば、基地局、またはＬＴＥで呼ばれるｅＮｏｄｅＢ（発展型ノードＢ）（ｅＮｏｄｅＢはＬＴＥの発展型ＵＴＲＡにおける要素であり、ＵＴＲＡはＵＭＴＳ地上波無線アクセスである）で通常実行される責任を引き継ぐことができると考えられる。仮想セルとしてのＵＥにおいて実行されることが考えられるそのような責任は、例えば、無線リソース管理、無線リソース制御（「ＲＲＣ」）、接続制御などである。したがって、データを中継し、ローカルネットワークを編成するために、ｅＮｏｄｅＢまたはスモールセルにのみ依存するのではなく、そのような機能は、仮想セルとして機能するＵＥにシフトされる。
【００２８】
さらに、仮想セル、中間ノードなど、より小さいセルの使用により、例えば５Ｇなどの次世代ネットワークは、異なる出力電力、カバレージ、動作帯域、ＲＡＴ（Radio  Access  Technology）などを有するセルを含み得るため、異種となり得る。それによって、動的に要求されるトラフィックに適切なセル容量を調整するために、動的であってもよい柔軟なセル展開が実現され得る。一般に、セル容量はスモールセルを高密度で提供することによって改善され得ると仮定され、そのようなスモールセルは、例えば、ホットスポットであり得る。
【００２９】
図１には、モバイル通信システムまたは無線アクセスネットワーク（ＲＡＮ）１が示されている。ｅＮｏｄｅＢとして実装される基地局３を有するマクロＬＴＥセル２が提供され、これは、マクロセル２を確立する。マクロセル２内には、例えば、将来の５Ｇ技術に基づく新しい無線セル４が位置している。新しい無線セル４は、例えば、ホットスポットなど、新しい無線（ＮＲ）基地局５によって確立される。ユーザ機器ＵＥ６は、新しい無線セル４内に位置する。例えば、新しい無線セル４は、ミリ波セルであってもよい。
【００３０】
3GPP  document  R2-163371  "System  Information  Signalling  Design  in  NR",  3GPP  TSG-RAN  WG2  Meeting  #94,  Nanjing,  China,  23-27  May  2016において、オンデマンドシステム情報の提供が、従来のブロードキャスト方式に加えて、システム情報を送信するための重要な補完方法であることが議論されている。図２、すなわち、図２ａ〜図２ｅは、ＬＴＥアプローチがＮＲ（新しい無線）システムで再利用されることに基づいて提案されたブロードキャスト方式を示す。
【００３１】
すべてのシステム情報の定期的なブロードキャストにおける問題を克服するために、Ｒ２−１６３３７１は、スタンドアロンＮＲ動作では、ＵＥと新しい無線基地局ＮＢとの間でメッセージが送信されることを示す図２ａにも示されているように、検出されたセルにキャンプオンし、続いてキャンプされたセルにアクセスするためにＵＥによって必要とされる最も重要なシステム情報がブロードキャストされ、残りのシステム情報は、要求に応じてＵＥに提供することができることを提案している。必須のシステム情報は、付属書類ＢのＲ２−１６３３７１に例示的に列挙されている。
【００３２】
図２ｂ〜図２ｅは、Ｒ２−１６３３７１で提案されているように、要求に応じて（必須ではない）システム情報を要求するための４つの異なる方式を示す。図２ｂ〜図２ｅの４つのアプローチは、無線リソース制御（ＲＲＣ）接続アイドル状態のみを考慮するという共通点を有する。
【００３３】
図２ｂのアプローチでは、ＵＥは、接続セットアップ手順を実行し、ＲＲＣ接続状態に入り、ＲＲＣ接続状態において、ＵＥは、そのシステム情報要求メッセージを送信する。
【００３４】
図２ｃのアプローチでは、ＵＥは、ＰＲＡＣＨ上でランダムアクセス手順を開始する。ランダムアクセス応答において受信されたＵＬ許可に基づいて、ＵＥは、そのシステム情報要求メッセージを送信する。
【００３５】
図２ｄのアプローチでは、ＵＥは、要求されたシステム情報に固有のＰＲＡＣＨプリアンブルを送信する。
【００３６】
図２ｅのアプローチでは、ＵＥは、要求されたシステム情報に固有のＰＲＡＣＨプリアンブルをも送信する。共通のシステム情報およびＵＬ許可を受信した後、ＵＥは、さらなるシステム情報要求を送信する。
【００３７】
ＮＲについては、「ＲＲＣ  ＣＯＮＮＥＣＴＥＤ  ｉｎａｃｔｉｖｅ」と呼ばれる新しいＲＲＣ状態が議論中であり、3GPP  document  R2-163998,  "Handling  of  inactive  UEs",  3GPP  TSG-RAN  WG2  #94,  Nanjing,  P.  R.  China,  23-27  May  2016および3GPP  document  R2-163582,  "Standalone  NR:  Discussion  on  mobility  framework",  3GPP  TSG  RAN  WG2  Meeting  #94,  Nanjing,  China,  23-27  May  2016からも例示的に得ることができる。
【００３８】
ＮＲは、広範囲のサービスを目的とし、そのうちの１つは、省電力化のために長い不連続受信（ＤＲＸ）からも恩恵を受ける小型および中型パケットの散発的なデータ送信を含む。そのようなサービスは、既存のＬＴＥ  ＲＲＣ状態にうまく適合せず、したがって、新しい「ＲＲＣ  ＣＯＮＮＥＣＴＥＤ  Ｉｎａｃｔｉｖｅ」ＲＲＣ状態が３ＧＰＰで議論されている。また、新しい状態は、ＬＴＥのために設計された「光接続」状態に類似することが提案される。この手順は、依然としてＲＡＣＨ手順の使用に依拠し、ネットワークは、新しい接続ごとに新しいＣ−ＲＮＴＩ（Cell  Radio  Network  Temporary  Identity）を割り当てる。
【００３９】
図３は、いくつかの実施形態で実施されるＲＲＣ状態、すなわち、（ＬＴＥからの）既知のＲＲＣ−ＣＯＮＮＥＣＴＥＤ  ＡＣＴＩＶＥ状態、ＲＲＣ−ＩＤＬＥ状態、および新しいＲＲＣ−ＩＮＡＣＴＩＶＥ状態を概略的に示す。
【００４０】
上述の３ＧＰＰ文書Ｒ２−１６３９９８では、（例えば、５Ｇなど）新しい無線のための新しいＲＲＣ−ＩＮＡＣＴＩＶＥ状態に関して、以下の合意がなされ、それは、以下のように要約され得る。
【００４１】
ＬＴＥ  ＲＲＣの機能は、ＮＲ  ＲＲＣのベースラインとみなされる。
【００４２】
少なくとも、以下によって特徴付けられるＲＡＮ制御「状態」の導入を研究する。
ＲＡＮ制御状態のＵＥは、ＲＡＮ／ＣＮにおける最小限のシグナリングを負い、電力消費を最小限に抑え、リソースコストを最小限に抑え、この状態を利用する（そしてそれから恩恵を受ける）ＵＥの数を最大にすることを可能にするものとする。
（ＲＡＮ要件によって要求されるように）低遅延でデータ転送を開始することができる。
データ転送が「状態」を離れているのか、「状態」内でデータ転送を行うことができるのかについてのさらなる研究を行う。
「状態」がＲＲＣ状態に移動するかどうかについてのさらなる研究を行う。
【００４３】
研究のためのＲＡＮ制御「状態」の潜在的特性：
ＣＮ／ＲＡＮ接続が維持される。
ＡＳコンテキストがＲＡＮに記憶されている。
ネットワークは、エリア内のＵＥの位置を知っており、ＵＥは、ネットワークに通知することなく、そのエリア内でモビリティを実行する。
ＲＡＮは、ＲＡＮ制御「非アクティブ状態」にあるＵＥのページングをトリガすることができる。
専用リソースなし。
【００４４】
上記の提案は、アイドルモードと同様に、ＵＥがページングチャネルを監視する（したがって、Ｐ−ＲＮＴＩを監視する）ことを想定している。
【００４５】
上述の文書Ｒ２−１６３５８２は、ＵＥがネットワークに通知することなくセル再選択を行い得るネットワーク内のエリアであるＲＡＮルーティングエリア（ＲＲＡ）を提案している。ＲＡＮアンカーｅＮｏｄｅＢは、上記の説明と同様に定義され、ＲＡＮは、ＵＥのためのＲＲＡ内でページングする。ＲＲＡは、ＲＡＮレベルによって定義することができ、したがって、いくつかの実施形態では、トラッキングエリア（ＴＡ）とは異なり得るが、ＲＲＡサイズの設計原理は、いくつかの実施形態では、ＴＡサイズのものと同じであり得る。言い換えれば、いくつかの実施形態では、ＲＲＡのサイズは、ＲＡＮレベルページングシグナリングオーバーヘッドとＲＲＡ更新シグナリングオーバーヘッドとの間のトレードオフである。
【００４６】
したがって、いくつかの実施形態では、オンデマンドシステム情報送信は、いわゆる非アクティブＲＲＣ状態でアドレス指定されるが、ＲＲＣ  ＣＯＮＮＥＣＴＥＤ状態およびＲＲＣ  ＩＤＬＥ状態でもアドレス指定される。
【００４７】
したがって、いくつかの実施形態は、特定の無線リソース制御接続状態に基づいて、システム情報を要求することと、システム情報要求に基づいて、システム情報をユーザ機器に送信することとを含む、オンデマンドシステム情報をユーザ機器に送信するためのモバイル通信システム方法に関する。モバイル通信システム方法は、ユーザ機器の（特定の）無線リソース制御接続状態を決定することをさらに含み得る。
【００４８】
しかし、いくつかの実施形態では、オンデマンドシステム情報送信は、必ずしも、システム情報を取得するために、ユーザ機器が常にシステム情報要求を送信することを意味するわけではない。例えば、ネットワークは、例えば、１）セルが変わるとき、２）システム情報が更新されるとき、３）新しいサービス要件、および／または４）別のＵＥの要求によるなど、いかなる明示的な要求もなく、システム情報をユーザ機器に送信する場合がある。
【００４９】
上述のように、ユーザ機器は、モバイル通信インターフェースを含む携帯電話、スマートフォン、コンピュータ、タブレット、タブレットパーソナルコンピュータなど、またはモバイル通信インターフェースを有するホットスポットデバイスなど、例えばＬＴＥ（−Ａ）を介して、モバイル通信を実行することができる任意の他のデバイスとすることができる。
【００５０】
通信システムは、上述したように５Ｇシステムであってもよく、通信は、例えば、ユーザ機器と基地局との間で実行されてもよく、基地局は、上述したように新しい無線基地局であってもよく、いくつかの実施形態ではスタンドアロン方式で動作してもよい。
【００５１】
ユーザ機器の無線リソース制御接続状態は、ユーザ機器自体によって決定されてもよい。上述のように、特定の無線リソース制御（ＲＲＣ）接続状態は、上述した以下の状態、すなわち、接続アクティブ、アイドル、または非アクティブ状態のいずれかとすることができる。
【００５２】
いくつかの実施形態では、ユーザ機器によってオンデマンドで要求されるシステム情報は、例えば、新しい無線基地局によってブロードキャストされる、上述したような必須のシステム情報とは対照的に、必須ではないシステム情報を含み得る。
【００５３】
オンデマンドシステム情報についての要求は、決定された無線リソース制御接続状態に基づく。したがって、いくつかの実施形態では、異なるＲＲＣ接続状態間で要求が異なり、したがって、ユーザ機器は、決定されたＲＲＣ接続状態に基づいて、オンデマンドシステム情報を要求するためにどの要求方式を使用するかを決定し得る。
【００５４】
システム情報は、システム情報要求に基づいて、例えば、（ＮＲ）基地局によって、ユーザ機器に送信される。したがって、要求の受信に応答して、または要求が行われたという任意の他の指示に応答して、システム情報がユーザ機器に送信される。送信は、ブロードキャスティング、グループキャスティング、直接（アドレス指定）送信、ユーザ機器にサービスするそれぞれのビームでの送信などによって実行され得る。
【００５５】
いくつかの実施形態では、システム情報は、決定された無線リソース制御接続状態に基づいて送信される。例えば、（ＮＲ）基地局は、決定されたＲＲＣ接続状態に基づいて、送信方式、スケジューリング、送信チャネルなどを決定する。
【００５６】
いくつかの実施形態では、予約されたアップリンク許可およびアップリンク許可リソースプールのうちの少なくとも１つを含む必須のシステム情報がブロードキャストされる。これは、本明細書で説明した無線リソース制御接続状態のいずれか１つにおいて実行され得る。さらに、アップリンク許可および／またはアップリンク許可リソースプールは、特定の無線リソース制御接続状態に依存し得る。例えば。ＲＲＣ非アクティブ状態では、ユーザ機器は、ＲＲＣ接続状態と同じリソースを使用し得るが、他の実施形態では、ＲＲＣ接続状態および非アクティブ状態では異なるリソースが使用される。
【００５７】
いくつかの実施形態では、上述したように、特定のまたは決定された無線リソース制御接続状態は、アイドル状態である。以下の説明は、ＲＲＣアイドル状態に関する。
【００５８】
システム情報は、無線リソース確立手順内で要求されてもよい。例えば、無線リソース制御接続要求メッセージに含まれ、例えば、要求メッセージに、オンデマンドシステム情報が要求されるというそれぞれのビットまたは他の指示を追加することによって、それがシステム情報要求についてのものであることを示すために新しい確立原因を定義することによって、どの特定のシステム情報ブロックが要求されているかを示すために無線リソース制御接続要求メッセージにより多くのビットを追加することによってなど、システム情報要求は、無線リソース制御接続要求メッセージに含まれる。
【００５９】
要求されたシステム情報は、例えば、無線リソース制御接続セットアップメッセージに含まれるなど、無線リソース確立手順内で送信されてもよい。
【００６０】
上述したように、いくつかの実施形態では、特定のまたは決定された無線リソース制御接続状態は、非アクティブ状態、接続状態、およびアイドル状態のうちの少なくとも１つである。以下の説明は、主に、ＲＲＣ非アクティブ状態に関するが、議論された競合ベースの方式は、接続状態およびアイドル状態にも適用することができる。
【００６１】
いくつかの実施形態では、例えば、アップリンク許可（またはアップリンク許可リソースプール）または通信チャネルなど、アップリンクリソースまたはアップリンクリソースプールがユーザ機器に事前に割り振られる。
【００６２】
システム情報の要求は、事前に割り振られたリソースに基づいて実行され得る。言い換えれば、いくつかの実施形態では、システム情報要求は、上述のＰＲＡＣＨ手順を実行することなく送信される（これは、他のＲＲＣ状態、すなわち、接続状態およびアイドル状態のいくつかの実施形態についても当てはまる）。
【００６３】
システム情報要求は、システム情報が要求されている旨の指示、システム情報ブロックの指示、サービス関連情報、および位置関連情報のうちの少なくとも１つを含み得る。この情報に基づいて、どの種類およびどの内容のシステム情報が要求側ユーザ機器に必要であるかを決定することができる。
【００６４】
システム情報要求は、システム情報を要求するユーザ機器を識別するための識別情報を含み得る。それによって、いくつかの実施形態では、ユーザ機器に送信される要求されたシステム情報が、受信された識別情報に基づいて、ユーザ機器にアドレス指定される。
【００６５】
所定の時間期間の後に肯定応答が受信されない場合、システム情報の要求は、繰り返され得る。肯定応答は、システム情報要求の受信後、ＮＲ基地局によって送信され得る。
【００６６】
複数のシステム情報要求が受信された場合、要求されたシステム情報は、ブロードキャストまたはグループキャストされてもよい。そのような場合、システム情報要求のさらなる競合ベースの送信が回避され、シグナリングが低減され得る。
【００６７】
いくつかの実施形態では、事前に割り振られたリソース上で受信されたノイズに応答して、必須ではないシステム情報がブロードキャストされる。受信されたノイズは、ＮＲ基地局または他の受信エンティティによって検出され得る。そのようなノイズは、システム情報についての２つ以上の要求が同時に送信された場合に発生する可能性がある。したがって、検出されたノイズに基づいて、システム情報についての要求は送信され得るが、競合ベースの送信のために受信されないことが決定され得る。したがって、２つ以上のユーザ機器がそのようなオンデマンドシステム情報を要求することが仮定され得るので、必須ではないシステム情報がブロードキャストされる。
【００６８】
必須ではないシステム情報は、セル再選択システム情報、または典型的には、通常の（例えば、上述したような意味で必須の）システム情報でブロードキャストされない他の情報を含み得る。
【００６９】
いくつかの実施形態では、さらなる必須のシステム情報がブロードキャストされ、必須ではないシステム情報をブロードキャストするためのスケジューリング情報は、必須のシステム情報に含まれる。これは、例えば、上述したノイズの検出時に、または例えば、システム情報についての複数の要求の受信に応答して行われてもよい。したがって、必須ではないシステム情報のブロードキャストをスケジューリングすることによって、ユーザ機器は、スケジューリング情報に従って必須ではないシステム情報を受信することができる。
【００７０】
いくつかの実施形態では、予約されたアップリンク許可またはアップリンク許可リソースプールは、例えば、ブロードキャストされた必須のシステム情報に含まれる。
【００７１】
いくつかの実施形態では、特定のまたは決定された無線リソース制御接続状態は、上記でも説明したように、接続状態である。以下の説明は、ＲＲＣ接続状態を有する実施形態に関する。
【００７２】
システム情報の要求は、以下のイベント、すなわち、新しいサービス要求、モビリティ、および新しい物理レイヤ変更のうちの少なくとも１つの検出時に実行され得る。したがって、ユーザ機器は、イベントのうちの１つを検出する場合、さらなるシステム情報が必要であると決定する場合があり、したがって、一致したシステム情報を要求する。
【００７３】
システム情報要求は、無線リソース制御シグナリング内で、例えば、ユーザ機器からＮＲ基地局に送信され得る。
【００７４】
システム情報要求は、スケジューリング要求内で送信され得る。
【００７５】
いくつかの実施形態では、スケジューリング要求に加えて、ゼロバッファサイズ指示がスケジューリング要求に続くバッファステータス報告に含まれる。それによって、バッファステータス報告においてバッファサイズがゼロであるので、例えば、ＮＲ基地局によって、さらなるシステム情報が必要とされることを決定することができる。
【００７６】
スケジューリング要求は、システム情報要求が送信される旨の指示を含み得る。この指示は、スケジューリング要求にそれぞれのビットを含めることによって、スケジューリング要求の既存のビットを操作することによって、またはスケジューリング要求におけるそれぞれのさらなるビットを定義することによって実装され得る。
【００７７】
スケジューリング要求は、要求されたシステム情報、例えば、システム情報ブロックのタイプなどに関する情報を含み得る。
【００７８】
システム情報要求は、ハンドオーバ手順内で送信されてもよく、要求されたシステム情報は、ハンドオーバコマンドに含まれて送信されてもよい。
【００７９】
いくつかの実施形態は、特定の無線リソース制御接続状態に基づいて、回路構成要求システム情報を含むモバイル通信システム用のユーザ機器に関する。回路は、ユーザ機器の（特定の）無線リソース制御接続状態を決定するようにさらに構成され得る。
【００８０】
上述のように、ユーザ機器は、モバイル通信インターフェースを含む携帯電話、スマートフォン、コンピュータ、タブレット、タブレットパーソナルコンピュータなど、またはモバイル通信インターフェースを有するホットスポットデバイスなど、例えばＬＴＥ（−Ａ）を介して、モバイル通信を実行することができる任意の他のデバイスとすることができる。
【００８１】
さらに、上述のモバイル通信システム方法は、ユーザ機器によって（部分的に）実行することができ、したがって、上記の説明は、ユーザ機器に完全に適用される。
【００８２】
特定のまたは決定された無線リソース制御接続状態は、上述したように、アイドル状態であってもよい。システム情報は、無線リソース確立手順内で要求されてもよく、無線リソース制御接続要求メッセージに含まれて要求されてもよい。
【００８３】
特定のまたは決定された無線リソース制御接続状態は、上述したように、非アクティブ状態であってもよいが、接続状態またはアイドル状態であってもよい。システム情報は、事前に割り振られたリソースまたはリソースプール上で要求され得る。システム情報要求は、システム情報が要求されている旨の指示、システム情報ブロックの指示、サービス関連情報、および位置関連情報のうちの少なくとも１つを含み得る。システム情報要求は、システム情報を要求するユーザ機器を識別するための識別情報を含み得る。所定の時間期間の後に肯定応答が受信されない場合、システム情報の要求は、繰り返され得る。
【００８４】
特定のまたは決定された無線リソース制御接続状態は、上述したように、接続状態であってもよい。システム情報の要求は、新しいサービス要求、モビリティ、および新しい物理レイヤ変更のうちの少なくとも１つの検出時に実行され得る。システム情報要求は、無線リソース制御シグナリング内で送信され得る。システム情報要求は、スケジューリング要求内で送信され得る。スケジューリング要求に加えて、ゼロバッファサイズ指示が、スケジューリング要求に続くバッファステータス報告に含まれてもよい。スケジューリング要求は、システム情報要求が送信される旨の指示を含み得る。スケジューリング要求は、要求されたシステム情報に関する情報を含み得る。システム情報要求は、ハンドオーバ内で送信され得る。
【００８５】
いくつかの実施形態は、上記でも説明したように、ユーザ機器の無線リソース制御接続状態を決定し、システム情報要求に基づいて、システム情報をユーザ機器に送信するように構成された回路を含むモバイル通信システムのための基地局に関する。上述したように、基地局は、新しい無線基地局であってもよい。
【００８６】
さらに、上述のモバイル通信システム方法は、ユーザ機器によって（部分的に）実行することができ、したがって、上記の説明は、ユーザ機器に完全に適用される。
【００８７】
上述したように、システム情報は、決定された無線リソース制御接続状態に基づいて送信されてもよい。
【００８８】
上述したように、回路は、予約されたアップリンク許可およびアップリンク許可リソースプールのうちの少なくとも１つを含む必須のシステム情報をブロードキャストするようにさらに構成され得る。
【００８９】
上述したように、いくつかの実施形態では、決定された無線リソース制御接続状態は、アイドル状態である。要求されたシステム情報は、無線リソース確立手順内で送信され得る。要求されたシステム情報は、無線リソース制御接続セットアップメッセージに含めて送信されてもよい。
【００９０】
上述したように、いくつかの実施形態では、決定された無線リソース制御接続状態が非アクティブ状態であってもよいが、接続状態およびアイドル状態であってもよい。アップリンクリソースまたはアップリンクリソースプールは、基地局によってユーザ機器に事前に割り振られ得る。システム情報の要求は、事前に割り振られたリソースに基づいて実行され得る。ユーザ機器に送信される要求されたシステム情報は、受信された識別情報に基づいて、ユーザ機器にアドレス指定されてもよい。複数のシステム情報要求が受信された場合、要求されたシステム情報は、ブロードキャストまたはグループキャストされてもよい。事前に割り振られたリソース上で受信されたノイズに応答して、セル再選択システム情報を含み得る必須ではないシステム情報がブロードキャストされ得る。回路は、必須のシステム情報をブロードキャストするようにさらに構成されてもよく、必須ではないシステム情報をブロードキャストするためのスケジューリング情報は、必須のシステム情報に含まれる。
【００９１】
上述したように、決定された無線リソース制御接続状態は、接続状態であってもよい。要求されたシステム情報は、ハンドオーバコマンドに含まれて送信されてもよい。
【００９２】
したがって、簡単に要約すると、いくつかの実施形態では、異なるＵＥ状態を考慮に入れることによって、オンデマンドシステム情報提供手順が提供されている。アイドル状態にあるＵＥの場合、いくつかの実施形態では、オンデマンドシステム情報要求および応答を、ＲＲＣ接続確立手順を介して送信することができる。非アクティブ状態にあるＵＥの場合、いくつかの実施形態では、競合ベースのシステム情報要求を採用することができ、競合ベースのシステム情報要求は、他の状態、例えば、接続状態およびアイドル状態にも採用することができる。成功した競合者の場合、以下のオンデマンドシステム情報は、ＵＥのＣ−ＲＮＴＩまたは追跡エリアＩＤをアドレス指定することによって、ＵＥに直接送信され得る。接続状態にあるＵＥの場合、いくつかの実施形態では、スケジューリング要求を介して、または、ハンドオーバがトリガされた場合、ハンドオーバコマンドを介して、システム情報要求が送信され得る。
【００９３】
図４に戻ると、ユーザ機器ＵＥおよび５Ｇの新しい無線基地局ＮＢについてのオンデマンドシステム情報を要求し、送信するためのモバイル通信システム方法２０が説明され、ＵＥは、上述のように、ＲＲＣ接続アイドル状態にある。
【００９４】
２１で、ＮＢは、システム情報を定期的にブロードキャストし、このシステム情報は、例えば、上述したような意味において必須のシステム情報である。
【００９５】
ＵＥは、アイドル状態にあり、追加のシステム情報を必要とすると決定する。したがって、ＲＲＣ＿ＩＤＬＥ状態にあるＵＥは、追加のシステム情報についての「初期アクセス」手順の間または後に、システム情報要求を送信する。
【００９６】
本実施形態では、シグナリングオーバーヘッドをさらに低減するために、ＲＲＣ接続確立手順中に、２２で、システム情報要求が追加され、これはすなわち、RRCConnectionRequestであり、そこにおいて、ＵＥが要求されたＳＩＢ（システム情報ブロック）を示す。
【００９７】
ＮＢは、RRC-ConnectionRequestにおいてシステム情報要求を受信すると、２３で、要求されたシステム情報を、応答ＲＲＣメッセージ、すなわち本実施形態では、RRC-ConnectionSetupメッセージを介して送信する。
【００９８】
図５は、ユーザ機器ＵＥおよび５Ｇの新しい無線基地局ＮＢについてのオンデマンドシステム情報を要求し、送信するためのモバイル通信システム方法３０を示し、ＵＥは、ＲＲＣ接続非アクティブ状態にあり、システム情報についての要求は、上記でも説明したように、競合ベースのアップリンク送信で送信される。
【００９９】
３１で、ＮＢは、システム情報を定期的にブロードキャストし、このシステム情報は、例えば、上述したような意味において必須のシステム情報である。
【０１００】
非アクティブ状態にあるＵＥは、以下の理由で、システム情報要求を送信することを決定し得る。
１．セルおよび／またはＴＲＰ（送信ポイント）の変更および／または再選択
２．システム情報更新要求によるページング
３．Ｄ２Ｄディスカバリ（デバイス間ディスカバリ）などの新しいサービス要求
４．ダウンリンクデータが受信され、送信すべきアップリンクデータを有し得る
５．新しいセル／ＴＲＰが検出される、または電源が投入される
【０１０１】
非アクティブ状態のＵＥの場合、本実施形態では、システム情報要求を送信するため、および／または要求されたシステム情報を受信するために、ＲＲＣ＿ＣＯＮＮＥＣＴＥＤ状態に移行する必要はない。
【０１０２】
非アクティブ状態にあるＵＥは、送信するアップリンクデータを有する場合、ネットワークＮＢによって予約されたＵＬ（アップリンク）許可またはＵＬ許可リソースプールが事前に割り振られる。そのような予約されたＵＬ許可またはＵＬ許可リソースプールは、３１で、例えば、ブロードキャストされた必須のシステム情報において送信される。
【０１０３】
非アクティブ化状態にあるすべてのＵＥは、３２で、事前に割り振られたリソース上でそれらのシステム情報要求を単に送信することによって、これらの共有リソースを求めて競合する。
【０１０４】
割り振られたＵＬ許可では、３２で、以下の情報（およびそれらの組合せ）を送信することができる。
１．必須ではないシステム情報を要求する旨のネットワークへの指示。
２．例えば、ＳＩＢインデックスなど、それが要求する特定のＳＩＢ。
３．追加のＳＩが必要かどうかをネットワークが判断するのを助けるためのサービス関連情報および／または位置関連情報。
【０１０５】
いくつかの実施形態では、より多くの情報がＵＬ許可に含まれているほど、システム情報送信のためのより多くのアシスタント情報が同時に含まれ、その結果、予約しなければならないリソースがより多くなる可能性があり、競合が失敗した場合、より多くのリソースの浪費が予想される可能性がある。
【０１０６】
３２での上述の競合ベースのシステム情報要求送信は、図２ｃ〜図２ｅに関して上述した「競合」ベースの（Ｐ）ＲＡＣＨ手順とは異なる。
【０１０７】
本実施形態の競合ベースのシステム情報要求送信は、ＵＥが既に事前にＵＬ許可を事前に割り振っているので、いかなる（Ｐ）ＲＡＣＨ手順も必要としない。したがって、任意のデータが存在する場合、ＵＥは、データを直接送信する。競合は、２つ以上のＵＥが同じＵＬ許可で同時にデータを送信する場合にのみ生じる。
【０１０８】
これとは対照的に、図２ｃ〜図２ｅでは、２つ以上のＵＥが同じプリアンブルを選択し、同じ（Ｐ）ＲＡＣＨリソースブロックで同じプリアンブルを送信するときに競合が発生する。
【０１０９】
３２で送信されたＵＬシステム情報要求は、どのＵＥがシステム情報要求を送信したかをネットワーク（例えば、ＮＢ）によって識別できるように、Ｃ−ＲＮＴＩまたはＲＡＮ追跡エリアＵＥ  ＩＤ（利用可能な場合）によってＣＲＣスクランブルされ得る。
【０１１０】
正常に受信されたシステム情報要求について、ネットワーク（例えば、ＮＢ）は、３３で、Ｃ−ＲＮＴＩまたはＲＡＮ追跡エリアＵＥ  ＩＤ（利用可能である場合）によってアドレス指定された要求されたシステム情報を送信する。
【０１１１】
衝突が生じた場合、例えば、３３でＡＣＫが受信されなかった場合、ＵＥは、次のラウンドを待つためにバックオフするか、図２ｂ〜図２ｅに関して論じられ、３４で示されるように、例えば、ＰＲＡＣＨ手順などのランダムアクセス様手順を使ってシステム情報要求を送信し得る。
【０１１２】
ネットワークは、予約されたＵＬ許可またはＵＬ許可リソースプールを時々監視する。
【０１１３】
さらに、ネットワーク、例えば、ＮＢが、３２で、同じシステム情報を要求する複数のＳＩ要求を正常に受信した場合、ネットワーク（例えば、ＮＢ）は、３５に示されるように、要求されたＳＩをＵＥにブロードキャストまたはグループキャストし得る。
【０１１４】
ネットワーク（例えば、ＮＢ）は、事前に割り振られたＵＬ許可／リソース、すなわち、予約されたリソースプールにおいてのみノイズを受信する場合、（おそらく）複数のＵＥが同時にシステム情報要求を送信していると決定することができる。
【０１１５】
その場合、ＮＢは、３６に示されるように、必須のシステム情報に加えて、いくつかの必須ではないが共通のシステム情報、例えば、セル再選択システム情報などをブロードキャストすることができる。そのような最適化によって、システム情報要求は、衝突のために、正常に送信されないが、一部のユーザ機器は、要求されたシステム情報を取得し得る。
【０１１６】
この必須ではないシステム情報のスケジューリングは、例えば、ブロードキャストされた必須のシステム情報に追加することができる（例えば、同じく３１で）。必須のシステム情報は、定期的にブロードキャストされ、したがって、失敗したＵＥは、必須のシステム情報を読み取る必要があり、要求されたシステム情報のスケジューリング情報を検出するのに応答して、３７に示されるように、それに応じてそれを受信する。
【０１１７】
いくつかの実施形態では、他のＵＥが必須ではないシステム情報を受信するかどうかは実装に依存する。いくつかの実施形態では、更新されたシステム情報ブロックインデックスが必須のシステム情報に含まれる。
【０１１８】
したがって、図５の実施形態によるいくつかの実施形態では、上記の図２ａ、図２ｂ、および図２ｄのアプローチと比較すると、シグナリングオーバーヘッドが、特に、低い可能性がある。
【０１１９】
図４の本実施形態では当てはまらないが、図２ｄのアプローチは、（Ｐ）ＲＡＣＨ応答においてシステム情報を送信するためにＭＡＣ  ＣＥに依拠し得るので、本アプローチは、例えば、上述した図２ｄのアプローチと比較して、さらなるソリューションのために拡張することが容易であり得る。
【０１２０】
本実施形態において衝突が生じると、ネットワーク（例えば、ＮＢ）は、すなわち、上述したように、代わりに、必須ではない、共通のシステム情報をブロードキャストするための、最適化されたソリューションを実装し得る。
【０１２１】
図６は、ユーザ機器ＵＥおよび５Ｇの新しい無線基地局ＮＢについてのオンデマンドシステム情報を要求し、送信するためのモバイル通信システム方法４０を示し、ＵＥは、上記でも説明したように、ＲＲＣ接続状態にある。
【０１２２】
４１で、ＮＢは、システム情報を定期的にブロードキャストし、このシステム情報は、例えば、上述したような意味において必須のシステム情報である。
【０１２３】
ＲＲＣ＿ＣＯＮＮＥＣＴＥＤ状態にあるＵＥは、４２にも示されるように、以下のイベントのうちの少なくとも１つに基づいて、システム情報要求を送信することを決定することができる。
１．例えば、ｅＭＢＢ（evolved  mobile  broadband）からｍＭＴＣ（massive  machine  type  communications）への新しいサービス要求、またはＤ２Ｄ（デバイス間）動作の開始など。
２．モビリティ、例えば、あるセルカバレージから別のセルカバレージへの移動、ＵＥモビリティ状態の変化など。
３．新しい物理レイヤの変化、例えば、ビーム変化、ミリ波セルアクティブ化など。
４．新しいセルが検出される、または電源が投入される。
【０１２４】
４２で、システム情報要求を送信するための従来の明示的なＲＲＣシグナリングに加えて、他の実施形態では、いくつかのオプションがある。
【０１２５】
例えば、４３で送信されたシステム情報要求は、スケジューリング要求を介して送信され得る。以下の例は、４３で送信された要求がシステム情報についての要求であることを示すために異なる実施形態において実施される。
１）４４で示される、従来のスケジューリング要求、および後続のＢＳＲ（バッファステータス報告）におけるゼロバッファサイズ指示。
２）従来のスケジューリング要求ビットを再使用し、「１」は、従来のスケジューリング要求が存在することを意味し、「０」は、スケジューリング情報要求を意味する（またはその逆）。この場合、スケジューリング要求チェックのためのエネルギー検出方法は、いくつかの実施形態では使用されない場合がある。次いで、次のＵＬ許可により、ＵＥは、４５で示されるように、どのＳＩＢが要求されているかを示すことができる。
３）例えば、どのＳＩＢが要求されているかを示す（例えば、４３で、要求で送信される）ために、従来のスケジューリング要求ビットを数ビットに拡張する。この場合、いくつかの実施形態では、ＵＬ許可は必要とされない。
【０１２６】
さらに、４６において、要求されたシステム情報は、ハンドオーバコマンドを介してＮＢから送信されてもよい。
【０１２７】
ハンドオーバ手順がトリガされる場合、システム情報は、ハンドオーバコマンドを介して送信される。システム情報は、ターゲットセル情報、例えば、初期アクセスのための必須のシステム情報を含んでもよく、および／または、必須ではない、共通のシステム情報を含んでもよい。それはまた、進行中のＤ２ＤまたはＭＢＭＳサービスを実行しているハンドオーバＵＥに関する情報など、特別なシステム情報をも含み得る。これらの種類の情報はすべて、４６で、ハンドオーバコマンドに単独で、または組み合わせて、あるいは、通常のシステム情報要求に含められ得る。
【０１２８】
いくつかの実施形態では、システム情報の送信および受信が、将来の通信システムのためにも提供され、提案された方式では、システム情報を受信するためのシグナリングオーバーヘッドが低減され得、システム情報の送信および受信の効率も改善され得る。
【０１２９】
以下では、汎用コンピュータ９０の実施形態について、図７を参照して説明する。コンピュータ９０は、基本的に、任意のタイプの基地局もしくは新しい無線基地局、仮想セル、または本明細書で説明するユーザ機器として機能することができるように実装することができる。コンピュータは、構成要素９１〜１００を有し、構成要素９１〜１００は、本明細書で説明したように、基地局、仮想セル、スレーブセル、およびユーザ機器の回路のうちの任意の１つなどの回路を形成することができる。
【０１３０】
本明細書で説明した方法を実行するためにソフトウェア、ファームウェア、プログラムなどを使用する実施形態は、コンピュータ９０にインストールすることができ、次いで、具体的な実施形態に適するように構成される。
【０１３１】
コンピュータ９０は、ＣＰＵ９１（中央演算処理装置）を有し、例えば、読取り専用メモリ（ＲＯＭ）９２に記憶される、ストレージ９７に記憶され、ランダムアクセスメモリ（ＲＡＭ）９３にロードされる、それぞれのドライブ９９に挿入可能な媒体１００に記憶されるプログラムに従って、本明細書に記載されるような様々なタイプの手順および方法を実行することができる。
【０１３２】
ＣＰＵ９１、ＲＯＭ９２、ＲＡＭ９３には、バス１０１が接続され、バス１０１は、入出力インターフェース９４に接続されている。ＣＰＵ、メモリ、およびストレージの数は例示的なものにすぎず、コンピュータ９０が基地局、仮想セル、およびユーザ機器として機能するときに生じる特定の要件を満たすように、それに応じて適応され、構成され得ることを、当業者は理解されよう。
【０１３３】
入出力インターフェース９４において、入力９５、出力９６、ストレージ９７、通信インターフェース９８、および媒体１００（コンパクトディスク、デジタルビデオディスク、コンパクトフラッシュメモリなど）を挿入できるドライブ９９などいくつかの構成要素が接続される。
【０１３４】
入力９５は、ポインタデバイス（マウス、グラフィックテーブルなど）、キーボード、マイクロフォン、カメラ、タッチスクリーンなどとすることができる。
【０１３５】
出力９６は、ディスプレイ（液晶ディスプレイ、陰極線管ディスプレイ、発光ダイオードディスプレイなど）、ラウドスピーカーなどを有することができる。
【０１３６】
ストレージ９７は、ハードディスク、ソリッドステートドライブなどを有することができる。
【０１３７】
通信インターフェース９８は、例えば、ローカルエリアネットワーク（ＬＡＮ）、ワイヤレスローカルエリアネットワーク（ＷＬＡＮ）、モバイル通信システム（ＧＳＭ、ＵＭＴＳ、ＬＴＥなど）、Ｂｌｕｅｔｏｏｔｈ、赤外線などを介して通信するように適合され得る。
【０１３８】
上記の説明は、コンピュータ９０の例示的な構成に関するに過ぎないことに留意されたい。追加で、または他のセンサー、ストレージデバイス、インターフェースなどで代替的な構成が実施されてもよい。例えば、通信インターフェース９８は、上述のＵＭＴＳおよびＬＴＥ以外の他の無線アクセス技術をサポートし得る。
【０１３９】
コンピュータ９０が基地局として機能するとき、通信インターフェース９８はさらに、それぞれのエアインターフェース（例えば、Ｅ−ＵＴＲＡプロトコルＯＦＤＭＡ（ダウンリンク）およびＳＣ−ＦＤＭＡ（アップリンク）を提供する）、およびネットワークインターフェイス（例えば、Ｓ１−ＡＰ、ＧＴＰ−Ｕ、Ｓ１−ＭＭＥ、Ｘ２−ＡＰなどのプロトコルを実装する）を有することができる。さらに、コンピュータ９０は、１つまたは複数のアンテナおよび／またはアンテナアレイを有していてもよい。本開示は、そのようなプロトコルのいかなる特定性にも限定されない。
【０１４０】
本明細書で説明した方法は、いくつかの実施形態では、コンピュータおよび／またはプロセッサ上で実行されるときに、コンピュータおよび／またはプロセッサに方法を実行させるコンピュータプログラムとしても実装される。いくつかの実施形態では、コンピュータプログラム製品を記憶する非一時的コンピュータ可読記録媒体も提供され、コンピュータプログラム製品は、上述のプロセッサなどのプロセッサによって実行されると、本明細書で説明した方法が実行されるようにする。
【０１４１】
実施形態は、方法ステップの例示的な順序で方法を説明することを認識されたい。しかしながら、方法ステップの特定の順序は、説明の目的のためだけに与えられており、拘束力があると解釈されないものとする。方法ステップの順序の他の変更は、当業者には明らかであろう。
【０１４２】
本明細書で説明され、添付の特許請求の範囲で請求されるすべてのユニットおよびエンティティは、特に明記しない限り、例えば、チップ上の集積回路ロジックとして実装することができ、そのようなユニットおよびエンティティによって提供される機能は、特に明記しない限り、ソフトウェアによって実装することができる。
【０１４３】
上記の本開示の実施形態が少なくとも部分的にソフトウェア制御データ処理装置を使用して実施される限り、そのようなソフトウェア制御を提供するコンピュータプログラム、およびそのようなコンピュータプログラムが提供される送信、記憶、または他の媒体が、本開示の態様として想定されることを理解されよう。
【０１４４】
なお、本技術は、下記のように構成することもできる。
【０１４５】
（１）ユーザ機器にオンデマンドシステム情報を送信するためのモバイル通信システム方法であって、
特定の無線リソース制御接続状態に基づいて、システム情報を要求することと、
システム情報要求に基づいて、システム情報をユーザ機器に送信することと
を含むモバイル通信システム方法。
（２）システム情報が、特定の無線リソース制御接続状態に基づいて送信される、（１）に記載のモバイル通信システム方法。
（３）予約されたアップリンク許可およびアップリンク許可リソースプールのうちの少なくとも１つを含む必須のシステム情報をブロードキャストすることをさらに含む（１）または（２）のモバイル通信システム方法。
（４）特定の無線リソース制御接続状態がアイドル状態である、（１）〜（３）のいずれか１項に記載のモバイル通信システム方法。
（５）システム情報が、無線リソース確立手順内で要求される、（４）に記載のモバイル通信システム方法。
（６）要求されたシステム情報が、無線リソース制御接続要求メッセージに含まれる、（５）に記載のモバイル通信システム方法。
（７）要求されたシステム情報が、無線リソース確立手順内で送信される、（４）〜（６）のいずれか１項に記載のモバイル通信システム。
（８）要求されたシステム情報が、無線リソース制御接続セットアップメッセージに含めて送信される、（７）に記載のモバイル通信システム方法。
（９）特定の無線リソース制御接続状態が、非アクティブ状態、接続状態、およびアイドル状態のうちの少なくとも１つである、（１）、（２）、または（３）に記載のモバイル通信システム方法。
（１０）アップリンクリソースがユーザ機器に事前に割り振られる、（９）に記載のモバイル通信システム方法。
（１１）システム情報の要求が、事前に割り振られたリソースに基づいて実行される、（１０）に記載のモバイル通信システム方法。
（１２）システム情報要求が、システム情報が要求された旨の指示、システム情報ブロックの指示、サービス関連情報、および位置関連情報のうちの少なくとも１つを含む、（９）〜（１１）のいずれか１項に記載のモバイル通信システム方法。
（１３）システム情報要求が、システム情報を要求するユーザ機器を識別するための識別情報を含む、（９）〜（１２）のいずれか１項に記載のモバイル通信システム方法。
（１４）ユーザ機器に送信される要求されたシステム情報が、受信された識別情報に基づいて、ユーザ機器にアドレス指定される、（１３）に記載のモバイル通信システム方法。
（１５）所定の時間期間の後に肯定応答が受信されない場合、システム情報の要求が繰り返される、（９）〜（１４）のいずれか１項に記載のモバイル通信システム方法。
（１６）複数のシステム情報要求が受信された場合、要求されたシステム情報がブロードキャストまたはグループキャストされる、（９）〜（１５）のいずれか１項に記載のモバイル通信システム方法。
（１７）事前に割り振られたリソース上で受信されたノイズに応答して、必須ではないシステム情報がブロードキャストされる、（１０）または（１１）に記載のモバイル通信システム方法。
（１８）必須ではないシステム情報が、セル再選択システム情報を含む、（７）に記載のモバイル通信システム方法。
（１９）必須のシステム情報をブロードキャストすることをさらに含み、必須ではないシステム情報をブロードキャストするためのスケジューリング情報が、必須のシステム情報に含まれる、（１７）または（１８）に記載のモバイル通信システム方法。
（２０）特定の無線リソース制御接続状態が接続状態である、（１）、（２）、または（３）に記載のモバイル通信システム方法。
（２１）システム情報の要求が、新しいサービス要求、モビリティ、および新しい物理レイヤ変更のうちの少なくとも１つの検出時に実行される、（２０）に記載のモバイル通信システム方法。
（２２）システム情報要求が、無線リソース制御シグナリング内で送信される、（２０）または（２１）に記載のモバイル通信システム方法。
（２３）システム情報要求が、スケジューリング要求内で送信される、（２０）〜（２２）のいずれか１項に記載のモバイル通信システム方法。
（２４）スケジューリング要求に加えて、ゼロバッファサイズ指示がスケジューリング要求に続くバッファステータス報告に含まれる、（２３）に記載のモバイル通信システム方法。
（２５）スケジューリング要求が、システム情報要求が送信される旨の指示を含む、（２３）または（２４）に記載のモバイル通信システム方法。
（２６）スケジューリング要求が、要求されたシステム情報に関する情報を含む、（２３）〜（２５）のいずれか１項に記載のモバイル通信システム方法。
（２７）システム情報要求がハンドオーバ内で送信される、（２０）〜（２６）のいずれか１項に記載のモバイル通信システム方法。
（２８）要求されたシステム情報が、ハンドオーバコマンドに含まれて送信される、（２７）に記載のモバイル通信システム方法。
（２９）モバイル通信システムのためのユーザ機器であって、
特定の無線リソース制御接続状態に基づいて、システム情報を要求する
ように構成された回路を備える、ユーザ機器。
（３０）特定の無線リソース制御接続状態がアイドル状態である、（２９）に記載のユーザ機器。
（３１）システム情報が、無線リソース確立手順内で要求される、（３０）に記載のユーザ機器。
（３２）システム情報が、無線リソース制御接続要求メッセージに含まれて要求される、（３１）に記載のユーザ機器。
（３３）特定の無線リソース制御接続状態が、非アクティブ状態、接続状態、およびアイドル状態のうちの少なくとも１つである、（３０）に記載のユーザ機器。
（３４）システム情報が、事前に割り振られたリソース上で要求される、（３３）に記載のユーザ機器。
（３５）システム情報要求が、システム情報が要求された旨の指示、システム情報ブロックの指示、サービス関連情報、および位置関連情報のうちの少なくとも１つを含む、（３３）または（３４）に記載のユーザ機器。
（３６）システム情報要求が、システム情報を要求するユーザ機器を識別するための識別情報を含む、（３３）〜（３５）のいずれか１項に記載のユーザ機器。
（３７）所定の時間期間の後に肯定応答が受信されない場合、システム情報の要求が繰り返される、（３３）〜（３６）のいずれか１項に記載のユーザ機器。
（３８）特定の無線リソース制御接続状態が接続状態である、（２９）に記載のユーザ機器。
（３９）システム情報の要求が、新しいサービス要求、モビリティ、および新しい物理レイヤ変更のうちの少なくとも１つの検出時に実行される、（３８）に記載のユーザ機器。
（４０）システム情報要求が、無線リソース制御シグナリング内で送信される、（３８）〜（３９）に記載のユーザ機器。
（４１）システム情報要求が、スケジューリング要求内で送信される、（３８）〜（４０）のいずれか１項に記載のユーザ機器。
（４２）スケジューリング要求に加えて、ゼロバッファサイズ指示がスケジューリング要求に続くバッファステータス報告に含まれる、（４１）に記載のユーザ機器。
（４３）スケジューリング要求が、システム情報要求が送信される旨の指示を含む、（４１）に記載のユーザ機器。
（４４）スケジューリング要求が、要求されたシステム情報に関する情報を含む、（４１）〜（４３）のいずれか１項に記載のユーザ機器。
（４５）システム情報要求がハンドオーバ内で送信される、（３８）〜（４４）のいずれか１項に記載のユーザ機器。
（４６）モバイル通信システムのための基地局であって、
ユーザ機器の無線リソース制御接続状態を決定し、
システム情報要求に基づいて、システム情報をユーザ機器に送信する
ように構成された回路を備える基地局。
（４７）システム情報が、決定された無線リソース制御接続状態に基づいて送信される、（４６）に記載の基地局。
（４８）回路が、予約されたアップリンク許可およびアップリンク許可リソースプールのうちの少なくとも１つを含む必須のシステム情報をブロードキャストするようにさらに構成される、（４６）に記載の基地局。
（４９）決定された無線リソース制御接続状態がアイドル状態である、（４６）、（４７）、または（４８）に記載の基地局。
（５０）要求されたシステム情報が、無線リソース確立手順内で送信される、（４９）に記載の基地局。
（５１）要求されたシステム情報が、無線リソース制御接続セットアップメッセージに含まれて送信される、（５０）に記載の基地局。
（５２）決定された無線リソース制御接続状態が、非アクティブ状態、接続状態、およびアイドル状態のうちの少なくとも１つである、（４６）、（４７）、または（４８）に記載の基地局。
（５３）アップリンクリソースがユーザ機器に事前に割り振られる、（５２）に記載の基地局。
（５４）システム情報の要求が、事前に割り振られたリソースに基づいて実行される、（５３）に記載の基地局。
（５５）ユーザ機器に送信される要求されたシステム情報が、受信された識別情報に基づいて、ユーザ機器にアドレス指定される、（５２）〜（５４）のいずれか１項に記載の基地局。
（５６）複数のシステム情報要求が受信された場合、要求されたシステム情報がブロードキャストまたはグループキャストされる、（５２）〜（５５）のいずれか１項に記載の基地局。
（５７）事前に割り振られたリソース上で受信されたノイズに応答して、必須ではないシステム情報がブロードキャストされる、（５３）または（５４）に記載の基地局。
（５８）必須ではないシステム情報が、セル再選択システム情報を含む、（５７）に記載の基地局。
（５９）回路が、必須のシステム情報をブロードキャストするようにさらに構成され、必須ではないシステム情報をブロードキャストするためのスケジューリング情報が、必須のシステム情報に含まれる、（５７）または（５８）に記載の基地局。
（６０）決定された無線リソース制御接続状態が接続状態である、（４６）、（４７）、または（４８）に記載の基地局。
（６１）要求されたシステム情報が、ハンドオーバコマンドに含まれて送信される、（６０）に記載の基地局。
（６２）コンピュータ上で実行されると、コンピュータに（１）〜（２８）のいずれか１項に記載の方法を実行させるプログラムコードを含むコンピュータプログラム。
（６３）プロセッサによって実行されると、（１）〜（２８）のいずれか１項に記載の方法が実行されるようにするコンピュータプログラム製品を記憶する非一時的コンピュータ可読記録媒体。
【図１】
2019528588.tif 000003
【図２ａ】
2019528588.tif 000004
【図２ｂ】
2019528588.tif 000005
【図２ｃ】
2019528588.tif 000006
【図２ｄ】
2019528588.tif 000007
【図２ｅ】
2019528588.tif 000008
【図３】
2019528588.tif 000009
【図４】
2019528588.tif 000010
【図５】
2019528588.tif 000011
【図６】
2019528588.tif 000012
【図７】
2019528588.tif 000013
【国際調査報告】
2019528588.tif 000014
2019528588.tif 000015
2019528588.tif 000016